(57)【要約】【課題】山折りしやすいパッドタイプ使い捨ておむつを提供する。【解決手段】上記課題は、起き上がりギャザー６０を備えたパッドタイプ使い捨ておむつ２００において、起き上がりギャザー６０は、吸収体２３の側縁よりも側方に延び出たサイドフラップＳＦに固定された付根部分６５と、付根部分６５の幅方向ＷＤ中央側の縁から幅方向ＷＤ外側に延びた本体部分６６と、この本体部分６６における前端部及び後端部に位置する前倒伏部分６７ｆ及び後倒伏部分６７ｂと、その間に位置する起き上がり部分６８とを有し、本体部分６６はその前後方向ＬＤ全体にわたり、展開状態でサイドフラップＳＦの側縁よりも幅方向ＷＤ外側に１〜１０ｍｍはみ出す、はみ出し部６９を有し、このはみ出し部６９にギャザー弾性部材６３を有していることにより解決される。【選択図】図４
2020156673.tif 000002
【特許請求の範囲】
【請求項１】
前後方向中央を含む股間部分と、
前後方向中央より前側に延びる前部分と、
前後方向中央より後側に延びる後部分と、
前記股間部分を含む範囲に内蔵された吸収体と、
両側部における排泄物の遮断位置に沿って表面から起き上がる、起き上がりギャザーとを備えた、
パッドタイプ使い捨ておむつにおいて、
前記吸収体の側縁よりも側方に延び出たサイドフラップを有し、
前記起き上がりギャザーは、前記サイドフラップに固定された付根部分と、この付根部分の幅方向中央側の縁から幅方向外側に延びた本体部分と、この本体部分における前端部及び後端部が倒伏状態に固定された部分である前倒伏部分及び後倒伏部分と、前倒伏部分及び後倒伏部分の間に位置する非固定の起き上がり部分と、この起き上がり部分の少なくとも先端部に前後方向に沿って設けられたギャザー弾性部材とを有しており、
前記本体部分は、その前後方向全体にわたり、少なくとも展開状態で前記サイドフラップの側縁よりも幅方向外側に１〜１０ｍｍはみ出す、はみ出し部を有しており、
前記はみ出し部に、前記ギャザー弾性部材を有している、
ことを特徴とするパッドタイプ使い捨ておむつ。
【請求項２】
前後方向中央を含む股間部分と、
前後方向中央より前側に延びる前部分と、
前後方向中央より後側に延びる後部分と、
前記股間部分を含む範囲に内蔵された吸収体と、
両側部における排泄物の遮断位置に沿って表面から起き上がる、起き上がりギャザーとを備えた、
パッドタイプ使い捨ておむつにおいて、
前記起き上がりギャザーは、前記両側部の裏面に固定された付根部分と、この付根部分の側縁から前記表面に回り込んで幅方向中央側に延びる第１部分、及びこの第１部分の先端から幅方向外側に延びる第２部分を有する本体部分と、この本体部分における前端部及び後端部が倒伏状態に固定された部分である前倒伏部分及び後倒伏部分と、前倒伏部分及び後倒伏部分の間に位置する非固定の起き上がり部分と、この起き上がり部分の少なくとも先端部に前後方向に沿って設けられたギャザー弾性部材とを有しており、
前記本体部分は、その前後方向全体にわたり、少なくとも展開状態で前記第２部分が前記第１部分の側縁よりも幅方向外側に１〜１０ｍｍはみ出す、はみ出し部を有しており、
前記はみ出し部に、前記ギャザー弾性部材を有している、
ことを特徴とするパッドタイプ使い捨ておむつ。
【請求項３】
前記吸収体は、前記股間部分を含む前後方向の範囲に括れ部を有しており、
前記前倒伏部分の後縁は前記括れ部の前縁より後側であって、かつ前記括れ部の前縁から３０ｍｍ以内に位置しており、
前記後倒伏部分の前縁は前記括れ部の後縁より前側であって、かつ前記括れ部の後縁から３０ｍｍ以内に位置している、
請求項１又は２記載のパッドタイプ使い捨ておむつ。
【請求項４】
前記吸収体の幅方向の中央には、厚み方向に貫通するスリット又は裏面に設けられた凹部が前後方向に延びており、
前記スリット又は凹部は、前記吸収体の表側に向かうにつれて幅が狭くなる断面形状を有している、
請求項１〜３のいずれか１項に記載のパッドタイプ使い捨ておむつ。
【請求項５】
前記吸収体の幅方向の中央には、厚み方向に貫通するスリット又は裏面に設けられた凹部が前後方向に延びており、
裏面における、前記スリット又は凹部よりも前側及び後側にのみ、ズレ止め粘着部が設けられている、
請求項１〜４のいずれか１項に記載のパッドタイプ使い捨ておむつ。
【発明の詳細な説明】
【技術分野】
【０００１】
本発明は、特にテープタイプやパンツタイプ等の使い捨ておむつ又は下着（以下、総称してアウターともいう）の内側に装着して使用されるパッドタイプ使い捨ておむつに関するものである。
【背景技術】
【０００２】
パッドタイプ使い捨ておむつでは、いわゆる横漏れを防止するために、両側部に表面から起き上がる起き上がりギャザーを設けることが一般的となっている。起き上がりギャザーには種々の構造のものが存在するが、多くの起き上がりギャザーは次のような基本構造を有する。すなわち、一般的な起き上がりギャザーは、物品の側部に固定された付根部分と、この付根部分より延び出る本体部分と、本体部分の前端部及び本体部分の後端部が倒伏状態に固定されてそれぞれ形成された前倒伏部分及び後倒伏部分と、本体部分における前倒伏部分及び後倒伏部分の間に位置する非固定の起き上がり部分と、起き上がり部分の少なくとも先端部に前後方向に沿って取り付けられたギャザー弾性部材とを有するものである。
【０００３】
他方、パッドタイプ使い捨ておむつは、様々な用途で使用されており、その装着の仕方も様々である。パッドタイプ使い捨ておむつの代表的な装着方法の一つとして、次のようなものがある。すなわち、介護者が被介護者にパッドタイプ使い捨ておむつを装着する場合において、パッドタイプ使い捨ておむつを、左右両側の部分の裏面が合わさるように山折り（以下、単に山折りともいう）し、山折りの頂部と反対側の部分をつかんで、山折りの頂部を被介護者の股間にあてがうことがある。このような装着方法は女性の被介護者や拘縮で脚が余り開かない被介護者に好ましいと考えられている。
【０００４】
しかし、従来のパッドタイプ使い捨ておむつは、吸収体の剛性や、起き上がりギャザーのギャザー弾性部材の収縮力が山折りに抗する力として働き、山折りしやすいものではなかった。
【先行技術文献】
【特許文献】
【０００５】
【特許文献１】特開２００３−９３４３８号公報
【特許文献２】特開２００６−１３６５８３号公報
【発明の概要】
【発明が解決しようとする課題】
【０００６】
そこで、本発明の主たる課題は、山折りしやすいパッドタイプ使い捨ておむつを提供することにある。
【課題を解決するための手段】
【０００７】
上記課題を解決したパッドタイプ使い捨ておむつは以下のとおりである。
＜第１の態様＞
前後方向中央を含む股間部分と、
前後方向中央より前側に延びる前部分と、
前後方向中央より後側に延びる後部分と、
前記股間部分を含む範囲に内蔵された吸収体と、
両側部における排泄物の遮断位置に沿って表面から起き上がる、起き上がりギャザーとを備えた、
パッドタイプ使い捨ておむつにおいて、
前記吸収体の側縁よりも側方に延び出たサイドフラップを有し、
前記起き上がりギャザーは、前記サイドフラップに固定された付根部分と、この付根部分の幅方向中央側の縁から幅方向外側に延びた本体部分と、この本体部分における前端部及び後端部が倒伏状態に固定された部分である前倒伏部分及び後倒伏部分と、前倒伏部分及び後倒伏部分の間に位置する非固定の起き上がり部分と、この起き上がり部分の少なくとも先端部に前後方向に沿って設けられたギャザー弾性部材とを有しており、
前記本体部分は、その前後方向全体にわたり、少なくとも展開状態で前記サイドフラップの側縁よりも幅方向外側に１〜１０ｍｍはみ出す、はみ出し部を有しており、
前記はみ出し部に、前記ギャザー弾性部材を有している、
ことを特徴とするパッドタイプ使い捨ておむつ。
【０００８】
（作用効果）
本パッドタイプ使い捨ておむつでは、起き上がりギャザーの全体が吸収体よりも側方に位置し、かつ起き上がりギャザーの先端部がはみ出し部となっており、このはみ出し部にギャザー弾性部材の一部又は全部を有しているため、山折りする際、起き上がりギャザーのギャザー弾性部材の収縮力が山折りに抗する力として働きにくく、山折りしやすく、山折り状態を保持しやすい。
【０００９】
＜第２の態様＞
前後方向中央を含む股間部分と、
前後方向中央より前側に延びる前部分と、
前後方向中央より後側に延びる後部分と、
前記股間部分を含む範囲に内蔵された吸収体と、
両側部における排泄物の遮断位置に沿って表面から起き上がる、起き上がりギャザーとを備えた、
パッドタイプ使い捨ておむつにおいて、
前記起き上がりギャザーは、前記両側部の裏面に固定された付根部分と、この付根部分の側縁から前記表面に回り込んで幅方向中央側に延びる第１部分、及びこの第１部分の先端から幅方向外側に延びる第２部分を有する本体部分と、この本体部分における前端部及び後端部が倒伏状態に固定された部分である前倒伏部分及び後倒伏部分と、前倒伏部分及び後倒伏部分の間に位置する非固定の起き上がり部分と、この起き上がり部分の少なくとも先端部に前後方向に沿って設けられたギャザー弾性部材とを有しており、
前記本体部分は、その前後方向全体にわたり、少なくとも展開状態で前記第２部分が前記第１部分の側縁よりも幅方向外側に１〜１０ｍｍはみ出す、はみ出し部を有しており、
前記はみ出し部に、前記ギャザー弾性部材を有している、
ことを特徴とするパッドタイプ使い捨ておむつ。
【００１０】
（作用効果）
本パッドタイプ使い捨ておむつでは、起き上がりギャザーの第２部分の先端部がはみ出し部となっており、このはみ出し部にギャザー弾性部材の一部又は全部を有しているため、山折りする際、起き上がりギャザーのギャザー弾性部材の収縮力が山折りに抗する力として働きにくく、山折りしやすく、かつ山折り状態を保持しやすい。
【００１１】
＜第３の態様＞
前記吸収体は、前記股間部分を含む前後方向の範囲に括れ部を有しており、
前記前倒伏部分の後縁は前記括れ部の前縁より後側であって、かつ前記括れ部の前縁から３０ｍｍ以内に位置しており、
前記後倒伏部分の前縁は前記括れ部の後縁より前側であって、かつ前記括れ部の後縁から３０ｍｍ以内に位置している、
第１又は２の態様のパッドタイプ使い捨ておむつ。
【００１２】
（作用効果）
脚周りへのフィット性を向上させるために、吸収体の股間部分を含む前後方向の範囲に括れ部を設けることが知られている。この括れ部に対して前倒伏部分及び後倒伏部分の位置が本態様の範囲内にあると、股間部分を持って山折りしたときに、ギャザー弾性部材の収縮力に抗して山折り状態を保持しやすくなる。
【００１３】
＜第４の態様＞
前記吸収体の幅方向の中央には、厚み方向に貫通するスリット又は裏面に設けられた凹部が前後方向に延びており、
前記スリット又は凹部は、前記吸収体の表側に向かうにつれて幅が狭くなる断面形状を有している、
第１〜３のいずれか１つの態様のパッドタイプ使い捨ておむつ。
【００１４】
（作用効果）
吸収体の剛性は比較的に高いため、山折りする際には吸収体の剛性が邪魔になる。ここで、吸収体の幅方向の中央に、厚み方向に貫通するスリット又は裏面に設けられた凹部が前後方向に延びていると、吸収体がこのスリット又は凹部に沿って山折りしやすくなるため好ましい。特に、本吸収体のスリット又は凹部のように、吸収体の表側に向かうにつれて幅が狭くなる断面形状を有していると、より一層山折りしやすいものとなる。
【００１５】
＜第５の態様＞
前記吸収体の幅方向の中央には、厚み方向に貫通するスリット又は裏面に設けられた凹部が前後方向に延びており、
裏面における、前記スリット又は凹部よりも前側及び後側にのみ、ズレ止め粘着部が設けられている、
第１〜４のいずれか１つの態様のパッドタイプ使い捨ておむつ。
【００１６】
（作用効果）
吸収体の剛性は比較的に高いため、山折りする際には吸収体の剛性が邪魔になる。ここで、吸収体の幅方向の中央に、厚み方向に貫通するスリット又は裏面に設けられた凹部が前後方向に延びていると、吸収体がこのスリット又は凹部に沿って山折りしやすくなるため好ましい。しかし、パッドタイプ使い捨ておむつの裏面に、アウターに対して固定するためのズレ止め粘着部を設けた場合、山折りした際に、誤って裏面同士がズレ止め粘着部により貼り付いて使えなくなってしまうことがある。これに対して、本態様の場合、山折りしやすい部分にはズレ止め粘着部がないため、山折りしやすいものでありながら、誤って裏面同士がズレ止め粘着部により貼り付きにくいものとなる。
【発明の効果】
【００１７】
本発明によれば、山折りしやすいパッドタイプ使い捨ておむつとなる、等の利点がもたらされる。
【図面の簡単な説明】
【００１８】
【図１】展開状態のパッドタイプ使い捨ておむつの表側を示す平面図である。
【図２】展開状態のパッドタイプ使い捨ておむつの裏側を示す平面図である。
【図３】図１のＡ−Ａ断面図である。
【図４】図１のＢ−Ｂ断面図である。
【図５】図１のＣ−Ｃ断面図である。
【図６】吸収体の断面図である。
【図７】展開状態のパッドタイプ使い捨ておむつの表側を示す平面図である。
【図８】展開状態のパッドタイプ使い捨ておむつの裏側を示す平面図である。
【図９】図７のＡ−Ａ断面図である。
【図１０】図７のＢ−Ｂ断面図である。
【図１１】パッドタイプ使い捨ておむつの使用方法を概略的に示す斜視図である。
【発明を実施するための形態】
【００１９】
以下、パッドタイプ使い捨ておむつの一例について添付図面を参照しつつ説明する。図１〜図５は、パッドタイプ使い捨ておむつ２００を示している。このパッドタイプ使い捨ておむつ２００は、前後方向ＬＤの中央２０１を含む股間部分Ｍと、前後方向ＬＤの中央２０１よりも前側に延在する前部分Ｆ１及び前後方向ＬＤの中央２０１よりも後側に延在する後部分Ｂ１とを有するものである。各部の寸法は適宜定めることができ、例えば、物品全長（前後方向長さ）Ｌ１は２００〜４８０ｍｍ程度、全幅Ｗ１は１２０〜２００ｍｍ程度とすることができる。
【００２０】
パッドタイプ使い捨ておむつ２００は、股間部分Ｍを含む範囲に内蔵された吸収体２３と、吸収体２３の表側を覆う液透過性のトップシート２２と、吸収体２３の裏側を覆う液不透過性シート２１とを有している。以下、各部の素材及び特徴部分について順に説明する。なお、以下の説明における不織布としては、部位や目的に応じて公知の不織布を適宜使用することができる。不織布の構成繊維としては、例えばポリエチレン又はポリプロピレン等のオレフィン系、ポリエステル系、ポリアミド系等の合成繊維（単成分繊維の他、芯鞘等の複合繊維も含む）の他、レーヨンやキュプラ等の再生繊維、綿等の天然繊維等、特に限定なく選択することができ、これらを混合して用いることもできる。不織布の柔軟性を高めるために、構成繊維を捲縮繊維とするのは好ましい。また、不織布の構成繊維は、親水性繊維（親水化剤により親水性となった疎水性繊維を含む）であっても、疎水性繊維若しくは撥水性繊維（撥水剤により撥水性となった撥水性繊維を含む）であってもよい。また、不織布は一般に繊維の長さや、シート形成方法、繊維結合方法、積層構造により、短繊維不織布、長繊維不織布、スパンボンド不織布、メルトブローン不織布、スパンレース不織布、サーマルボンド（エアスルー）不織布、ニードルパンチ不織布、ポイントボンド不織布、積層不織布（スパンボンド層間にメルトブローン層を挟んだＳＭＳ不織布、ＳＭＭＳ不織布等）等に分類されるが、これらのどの不織布も用いることができる。
【００２１】
吸収体２３としては、パルプ繊維の積繊体、セルロースアセテート等のフィラメントの集合体、あるいは不織布を基本とし、必要に応じて高吸収性ポリマーを混合、固着等してなるものを用いることができる。必要に応じて、吸収体２３はクレープ紙や不織布（図示せず）により包むことができる。また、吸収体２３の形状は、長方形状等、適宜の形状とすることができるが、図示例では、股間部分Ｍを含む前後方向ＬＤの範囲に、前後両側よりも幅の狭い括れ部２３ｎを有する形状（略砂時計形状）となっている。吸収体２３における繊維目付け及び吸収性ポリマーの目付けは適宜定めることができるが、繊維目付けは１００〜６００ｇ／ｍ2程度とするのが好ましく、また吸収性ポリマーの目付け０〜４００ｇ／ｍ2程度とするのが好ましい。
【００２２】
吸収体２３の剛性は比較的に高いため、図１１に示すようにパッドタイプ使い捨ておむつ２００を山折りする際には吸収体２３の剛性が邪魔になる。ここで、吸収体２３の幅方向ＷＤの中央に、図６に示すように厚み方向に貫通するスリット２３ｓが前後方向ＬＤに延びていると、吸収体２３がこのスリット２３ｓに沿って山折りしやすくなり、その結果としてパッドタイプ使い捨ておむつ２００を山折りしやすくなるため好ましい。特に、スリット２３ｓの断面形状が、図６（ａ）に示すように吸収体２３の厚み方向に一定の幅を有するものよりも、図６（ｃ）に示すように吸収体２３の表側に向かうにつれて幅が狭くなるものであると、より一層山折りしやすいものとなる。図６（ｂ）及び（ｄ）に示すように、スリット２３ｓに代えて、吸収体２３の裏面に凹部２３ｍを設けても同様である。もちろん、これらスリット２３ｓ又は凹部２３ｍは省略することもできる。
【００２３】
吸収体２３にスリット２３ｓ又は凹部２３ｍを設ける場合、その寸法は適宜定めることができるが、スリット２３ｓ又は凹部２３ｍの前後方向ＬＤの寸法は、例えば吸収体２３の全長の３０〜７０％程度とすることができる。また、スリット２３ｓ又は凹部２３ｍの幅方向ＷＤの寸法は、例えば５〜３０ｍｍ程度とすることができる。
【００２４】
吸収体２３の裏側には、液不透過性シート２１が設けられている。液不透過性シート２１としては、ポリエチレンフィルム等の他、ムレ防止の点から遮水性を損なわずに透湿性を備えたシートも用いることができる。この遮水・透湿性シートは、例えばポリエチレンやポリプロピレン等のオレフィン樹脂中に無機充填材を溶融混練してシートを形成した後、一軸又は二軸方向に延伸することにより得られる微多孔性シートを用いることができる。図示例では、液不透過性シート２１が吸収体２３の周囲にはみ出しているが、吸収体２３の周囲にはみ出していなくてもよい。
【００２５】
液不透過性シート２１の外面（裏面）は、外装シート２５により覆われている。外装シート２５としては各種の不織布を用いることができる。
【００２６】
吸収体２３の表側は、トップシート２２により覆われている。図示例ではトップシート２２の側縁から吸収体２３が一部はみ出しているが、吸収体２３の側縁がはみ出さないようにトップシート２２の幅を広げることもできる。トップシート２２としては、有孔又は無孔の不織布や穴あきプラスチックシートなどが用いられる。
【００２７】
後述する図７〜図１０に示す例のように、トップシート２２を透過した液の逆戻りを防止するために、トップシート２２の裏側に液透過性を有する中間シート（セカンドシートとも呼ばれている）２４を設けることができる。中間シート２４は省略することもできる。
【００２８】
中間シート２４としては、各種の不織布を好適に用いることができ、特に嵩高なエアスルー不織布を好適に用いることができる。エアスルー不織布には芯鞘構造の複合繊維を用いるのが好ましく、この場合芯に用いる樹脂はポリプロピレン（ＰＰ）でも良いが剛性の高いポリエステル（ＰＥＴ）が好ましい。目付けは１７〜８０ｇ／ｍ2が好ましく、２５〜６０ｇ／ｍ2がより好ましい。不織布の原料繊維の太さは２．０〜１０ｄｔｅｘであるのが好ましい。不織布を嵩高にするために、原料繊維の全部又は一部の混合繊維として、芯が中央にない偏芯の繊維や中空の繊維、偏芯且つ中空の繊維を用いるのも好ましい。
【００２９】
図示例の中間シート２４は、吸収体２３の幅より短く中央に配置されているが、全幅にわたって設けてもよい。また、中間シート２４は、おむつの全長にわたり設けてもよいが、図示例のように排泄位置を含む中間部分にのみ設けてもよい。
【００３０】
パッドタイプ使い捨ておむつ２００の前後端部は、吸収体２３の前後端よりも前後両側にそれぞれ延び出た、吸収体２３の存在しないエンドフラップＥＦとなっている。エンドフラップＥＦを構成する素材は特に限定されるものではないが、図示例では、液不透過性シート２１、外装シート２５及びトップシート２２における、吸収体２３の前後両側に延び出た部分となっている。
【００３１】
また、パッドタイプ使い捨ておむつ２００の両側部は、吸収体の側方に延び出たサイドフラップＳＦとなっている。サイドフラップＳＦを構成する素材は特に限定されるものではないが、図示例では、液不透過性シート２１、外装シート２５、トップシート２２、及びギャザーシート６２における、吸収体２３の幅方向ＷＤの両側に延び出た部分となっている。これらを含め、素材の貼り合わせは、図中に点模様で示されたホットメルト接着剤の他、ヒートシール、超音波シール等の素材溶着により行うことができる。
【００３２】
（起き上がりギャザー）
トップシート２２上を横方向に移動する尿や軟便を遮り、横漏れを防止するために、使い捨ておむつの表面の幅方向ＷＤの両側には、排泄物の遮断位置に沿ってトップシート２２の側部から肌側に起き上がる（突出する）起き上がりギャザー６０が前後方向全体にわたり設けられている。
【００３３】
図示例の起き上がりギャザー６０は、サイドフラップＳＦに固定された付根部分６５と、この付根部分６５の幅方向中央側の縁から幅方向外側に延び出た本体部分６６と、この本体部分６６の前端部及び後端部が倒伏状態に固定された部分である前倒伏部分６７ｆ及び後倒伏部分６７ｂと、本体部分６６のうち前倒伏部分６７ｆ及び後倒伏部分６７ｂの間に位置する非固定の起き上がり部分６８と、この起き上がり部分６８の少なくとも先端部に、前後方向に伸張した状態で固定されたギャザー弾性部材６３とを有している。起き上がりギャザー６０は、先端で折り返された二層構造のギャザーシート６２により形成されており、ギャザー弾性部材６３はその層間に配置されている。前倒伏部分６７ｆ及び後倒伏部分６７ｂには、ギャザー弾性部材６３の収縮力が作用しないようになっていることが望ましい。なお、ギャザー弾性部材６３の収縮力が作用しない部分には、ギャザー弾性部材６３を有しない部分の他、ギャザー弾性部材６３を有するがギャザー弾性部材６３がギャザーシート６２に固定されておらず、自然長まで収縮している部分も含む。
【００３４】
起き上がりギャザー６０の本体部分６６は、前後方向ＬＤの両端部が前倒伏部分６７ｆ及び後倒伏部分６７ｂとなっているものの、その間の部分は非固定の起き上がり部分６８とされており、この起き上がり部分６８がギャザー弾性部材６３の収縮力により起立するようになる。おむつの装着時には、おむつが舟形に体に装着され、そしてギャザー弾性部材６３の収縮力が作用するので、ギャザー弾性部材６３の収縮力により起き上がりギャザー６０が立ち上がり脚周りに弾力的に密着する。その結果、脚周りからのいわゆる横漏れが防止される。
【００３５】
ギャザーシート６２の素材は特に限定されないが、スパンボンド不織布（ＳＳ、ＳＳＳ等）やＳＭＳ不織布（ＳＭＳ、ＳＳＭＭＳ等）、メルトブロー不織布等の柔軟で均一性・隠蔽性に優れた不織布に、必要に応じてシリコーンなどにより撥水処理を施したものを好適に用いることができる。ギャザーシート６２に用いる不織布の繊維目付けは１０〜３０ｇ／ｍ2程度とするのが好ましい。ギャザー弾性部材６３としては、糸状、紐状、帯状等の細長状のものを好適に用いることができる。スパンデックス糸ゴムを用いる場合は、太さは４７０〜１２４０ｄｔｅｘが好ましく、６２０〜９４０ｄｔｅｘがより好ましい。固定時の伸長率は、１５０〜３５０％が好ましく、２００〜３００％がより好ましい。ギャザー弾性部材６３は、各起き上がりギャザー６０において幅方向ＷＤに間隔を空けて複数本設けることができるほか、各１本設けるだけでもよい。ギャザー弾性部材６３を複数本設ける場合、その幅方向の間隔６０ｄ（図９参照）は例えば３〜１０ｍｍ程度とすることができる。また、後述する図７〜図１０に示す例のように、二つに折り重ねたギャザーシート６２の間に防水フィルム６４を介在させることもできる。
【００３６】
起き上がりギャザー６０の寸法は適宜定めることができるが、例えば起き上がりギャザー６０の起立高さ（展開状態における本体部分６６の幅方向長さ）Ｗ２は１５〜６０ｍｍ、特に２０〜４０ｍｍとすることができる。
【００３７】
特徴的には、本体部分６６は、その前後方向ＬＤ全体にわたり、少なくとも展開状態でサイドフラップＳＦの側縁よりも幅方向ＷＤ外側に１〜１０ｍｍはみ出す、はみ出し部６９を有しており、このはみ出し部６９にギャザー弾性部材６３を有している。このように、起き上がりギャザー６０の全体が吸収体２３よりも側方に位置し、かつ起き上がりギャザー６０の先端部がはみ出し部６９となっており、このはみ出し部６９にギャザー弾性部材６３の一部又は全部を有していると、図１１に示す山折り状態にする際、起き上がりギャザー６０のギャザー弾性部材６３の収縮力が山折りに抗する力として働きにくく、山折りしやすく、かつ山折り状態を保持しやすい。なお、図１１中の符号１００は着用者の胴を示し、符号１０１は着用者の脚を示している。
【００３８】
はみ出し部６９のより好ましい幅方向ＷＤの寸法は５〜１０ｍｍである。また、はみ出し部６９に位置するギャザー弾性部材６３は１本でもよいが、複数本であると好ましい。また、ギャザー弾性部材６３は、はみ出し部６９以外に設けられていないことが好ましいが、後述する図７〜図１０に示す例のようにはみ出し部６９以外に設けられていてもよい。また、サイドフラップＳＦにおける起き上がりギャザー６０以外の部分に弾性部材を有していないことが好ましいが、有していてもよい。
【００３９】
図７〜図１０は他の起き上がりギャザー６０を有するパッドタイプ使い捨ておむつ２００を示している。この起き上がりギャザー６０は、パッドタイプ使い捨ておむつ２００の両側部の裏面に固定された付根部分６５と、この付根部分６５の側縁から表面に回り込んで幅方向ＷＤ中央側に延びる第１部分６０Ａ、及びこの第１部分６０Ａの先端から幅方向ＷＤ外側に延びる第２部分６０Ｂを有する本体部分６６と、この本体部分６６における前端部及び後端部が倒伏状態に固定された部分である前倒伏部分６７ｆ及び後倒伏部分６７ｂと、前倒伏部分６７ｆ及び後倒伏部分６７ｂの間に位置する非固定の起き上がり部分６８と、この起き上がり部分６８の少なくとも先端部に前後方向ＬＤに沿って設けられたギャザー弾性部材６３とを有しているものである。そして、本体部分６６は、その前後方向ＬＤ全体にわたり、少なくとも展開状態で第２部分６０Ｂが第１部分６０Ａの側縁よりも幅方向ＷＤ外側に１〜１０ｍｍはみ出す、はみ出し部６９を有しており、このはみ出し部６９に、ギャザー弾性部材６３を有している。したがって、本パッドタイプ使い捨ておむつ２００では、起き上がりギャザー６０の第２部分６０Ｂの先端部がはみ出し部６９となっており、このはみ出し部６９にギャザー弾性部材６３の一部又は全部を有しているため、山折りする際、起き上がりギャザー６０のギャザー弾性部材６３の収縮力が山折りに抗する力として働きにくく、山折りしやすく、かつ山折り状態を保持しやすい。
【００４０】
図７〜図１０に示す例においても、はみ出し部６９のより好ましい幅方向ＷＤの寸法は図１〜図５に示す例と同様である。また、はみ出し部６９に位置するギャザー弾性部材６３は１本でもよいが、複数本であると好ましい点も同様である。一方、図７〜図１０に示す例では、起き上がり部分６８は第１部分６０Ａ及び第２部分６０Ｂを有し、それぞれ起き上がるため、第１部分６０Ａの先端部（つまり第１部分６０Ａにおける第２部分６０Ｂ側の端部）にもギャザー弾性部材６３を有していることが好ましい。
【００４１】
他方、吸収体２３は、股間部分Ｍを含む前後方向ＬＤの範囲に括れ部２３ｎを有している場合、図１〜図５に示す例、図７〜図１０に示す例のいずれにおいても、前倒伏部分６７ｆの後縁は括れ部２３ｎの前縁より後側であって、かつ括れ部２３ｎの前縁から３０ｍｍ以内に位置しており、後倒伏部分６７ｂの前縁は括れ部２３ｎの後縁より前側であって、かつ括れ部２３ｎの後縁から３０ｍｍ以内に位置していると、股間部分Ｍを持って山折りしたときに、ギャザー弾性部材６３の収縮力に抗して山折り状態を保持しやすくなるため、好ましい。
【００４２】
（粘着剤層）
図２、図３及び図５に示すように、パッドタイプ使い捨ておむつ２００の裏面、つまり図示例では外装シート２５の裏面には、ズレ止め粘着部３０を設けることができる。ズレ止め粘着部３０は、粘着剤の層を有する部分である。ズレ止め粘着部３０は、図示例のように、剥離シート３１により剥離可能に被覆しておき、使用時に剥離シート３１を剥離してズレ止め粘着部３０を露出させるのが望ましい。
【００４３】
ズレ止め粘着部３０は、股間部分Ｍを含めて前後方向ＬＤに沿って連続的に設けたり、前部分Ｆ１及び後部分Ｂ１のそれぞれに設けたり、いずれか一方のみに設けたり、股間部分Ｍ等の前後方向ＬＤの中間部のみに設けたりしても良い。しかし、ズレ止め粘着部３０の位置によっては、山折りした際に、誤って裏面同士がズレ止め粘着部３０により貼り付いて使えなくなってしまうおそれがある。そこで、図２及び図５に示すように、吸収体２３がスリット２３ｓ（又は凹部２３ｍ）を有する場合、裏面におけるスリット２３ｓ（又は凹部２３ｍ）よりも前側及び後側にのみ、ズレ止め粘着部３０が設けられているのは好ましい。これにより、山折りしやすい部分にはズレ止め粘着部３０がないため、山折りしやすいものでありながら、誤って裏面同士がズレ止め粘着部３０により貼り付きにくいものとなる。この場合、ズレ止め粘着部３０は、前部分Ｆ１及び後部分Ｂ１に各一つ設けるほか、各複数個所に設けることもできる。
【００４４】
＜明細書中の用語の説明＞
明細書中の以下の用語は、明細書中に特に記載が無い限り、以下の意味を有するものである。
【００４５】
・「前後方向」とは図中に符号ＬＤで示す方向（縦方向）を意味し、「幅方向」とは図中にＷＤで示す方向（左右方向）を意味し、前後方向と幅方向とは直交するものである。
【００４６】
・「表側」とは着用した際に着用者の肌に近い方を意味し、「裏側」とは着用した際に着用者の肌から遠い方を意味する。
【００４７】
・「表面」とは部材の、着用した際に着用者の肌に近い方の面を意味し、「裏面」とは着用した際に着用者の肌から遠い方の面を意味する。
【００４８】
・「伸長率」は、自然長を１００％としたときの値を意味する。例えば、伸長率が２００％とは、伸長倍率が２倍であることと同義である。
【００４９】
・「ゲル強度」は次のようにして測定されるものである。人工尿（尿素：２ｗｔ％、塩化ナトリウム：０．８ｗｔ％、塩化カルシウム二水和物：０．０３ｗｔ％、硫酸マグネシウム七水和物：０．０８ｗｔ％、及びイオン交換水：９７．０９ｗｔ％を混合したもの）４９．０ｇに、高吸収性ポリマーを１．０ｇ加え、スターラーで攪拌させる。生成したゲルを４０℃×６０％ＲＨの恒温恒湿槽内に３時間放置したあと常温にもどし、カードメーター（Ｉ．ｔｅｃｈｎｏ  Ｅｎｇｉｎｅｅｒｉｎｇ社製：Ｃｕｒｄｍｅｔｅｒ−ＭＡＸ  ＭＥ−５００）でゲル強度を測定する。
【００５０】
・「目付け」は次のようにして測定されるものである。試料又は試験片を予備乾燥した後、標準状態（試験場所は、温度２３±１℃、相対湿度５０±２％）の試験室又は装置内に放置し、恒量になった状態にする。予備乾燥は、試料又は試験片を温度１００℃の環境で恒量にすることをいう。なお、公定水分率が０．０％の繊維については、予備乾燥を行わなくてもよい。恒量になった状態の試験片から、試料採取用の型板(１００ｍｍ×１００ｍｍ)を使用し、１００ｍｍ×１００ｍｍの寸法の試料を切り取る。試料の重量を測定し、１００倍して１平米あたりの重さを算出し、目付けとする。
【００５１】
・「厚み」は、自動厚み測定器（ＫＥＳ−Ｇ５  ハンディ圧縮計測プログラム）を用い、荷重：０．０９８Ｎ／ｃｍ2、及び加圧面積：２ｃｍ2の条件下で自動測定する。
【００５２】
・「展開状態」とは、収縮や弛み無く平坦に展開した状態を意味する。
【００５３】
・各部の寸法は、特に記載が無い限り、自然長状態ではなく展開状態における寸法を意味する。
【００５４】
・試験や測定における環境条件についての記載が無い場合、その試験や測定は、標準状態（試験場所は、温度２３±１℃、相対湿度５０±２％）の試験室又は装置内で行うものとする。
【産業上の利用可能性】
【００５５】
本発明は、裏面に粘着剤層を有するパッドタイプ使い捨ておむつ、生理用ナプキン等の、下着の内面に固定されるパッドタイプ使い捨ておむつに利用可能である。
【符号の説明】
【００５６】
２１…液不透過性シート、２２…トップシート、２３…吸収体、２３ｍ…凹部、２３ｎ…括れ部、２３ｓ…スリット、２５…外装シート、３０…粘着部、３１…剥離シート、６０…起き上がりギャザー、６０Ａ…第１部分、６０Ｂ…第２部分、６３…ギャザー弾性部材、６５…付根部分、６６…本体部分、６７ｂ…後倒伏部分、６７ｆ…前倒伏部分、６８…起き上がり部分、６９…はみ出し部、１００…着用者の胴、１０１…着用者の脚、２００…パッドタイプ使い捨ておむつ、Ｂ１…後部分、ＥＦ…エンドフラップ、Ｆ１…前部分、ＬＤ…前後方向、Ｍ…股間部分、ＳＦ…サイドフラップ、ＷＤ…幅方向。
【図１】
2020156673.tif 000003
【図２】
2020156673.tif 000004
【図３】
2020156673.tif 000005
【図４】
2020156673.tif 000006
【図５】
2020156673.tif 000007
【図６】
2020156673.tif 000008
【図７】
2020156673.tif 000009
【図８】
2020156673.tif 000010
【図９】
2020156673.tif 000011
【図１０】
2020156673.tif 000012
【図１１】
2020156673.tif 000013